(57)【特許請求の範囲】
【請求項１】
光透過型電気気泡管を具備する傾斜検出装置に於いて、気泡管と、該気泡管に対峙して設けられ検出光を発する発光素子と、前記気泡管を挾んで前記発光素子に対峙し前記気泡管の両端部に対向して配置され、前記気泡管を透過した検出光を受光する１対の受光素子と、該受光素子と前記気泡管との間に配設される遮光板とを具備し、前記受光素子は気泡管の液部を透過した前記検出光が集光する位置に配置され、前記遮光板には前記気泡管の軸心と平行なスリット孔が設けられ、該スリット孔は前記気泡管の胴部周辺部分からの検出光を遮光する幅となっていることを特徴とする傾斜検出装置。
【請求項２】
軸心に平行な２本のスリット孔を設けて、気泡管の胴部周辺部分を透過した検出光を遮光すると共に、軸心を透過する検出光を遮光する請求項１の傾斜検出装置。
【請求項３】
気泡管の長手方向に沿って受光範囲の幅を狭くするマスクを受光素子の受光面に設けた請求項１の傾斜検出装置。
【発明の詳細な説明】
【０００１】
【発明の属する技術分野】
本発明は電気気泡管を具備する傾斜検出装置、特に光透過型の電気気泡管を具備する測量機等精密機器の傾斜検出装置に関するものである。
【０００２】
【従来の技術】
測量機等は測量時所定の場所に設置され、その都度装置の設置状態が傾斜検出装置を基に基準姿勢に調整される。測量機は基準線、基準水平面等を形成するものであり、基準姿勢の調整は高精度に行われなければならない。
【０００３】
以下に傾斜検出装置を具備した測量機について説明する。
【０００４】
測量機の１つにレーザ測量機があり、該レーザ測量機は指向性のあるレーザ光線を水平方向に回転照射して照射面を形成し、回転照射面上に位置する受光装置（図示せず）がレーザ光線を受光検知することで基準線、基準面が得られる。
【０００５】
図１３に於いて前記レーザ測量機を略述する。
【０００６】
図１３中、１はレーザ光線射出部であり、該レーザ光線射出部１は全方向に傾動可能に支持され、且頭部には該レーザ光線射出部１の光軸を中心に回転可能な回動部２を有している。前記レーザ光線射出部１には水平２方向に直交する傾斜センサ３，４（透過式電気気泡管）、垂直方向の傾斜センサ５が設けられ、該傾斜センサ５、前記傾斜センサ３，４及び図示しない傾斜検出制御部により傾斜検出装置が構成されている。
【０００７】
前記回動部２は垂直方向に射出されたレーザ光線を水平方向に偏向すると共に走査モータ６により回転され、レーザ光線７を回転照射する。
【０００８】
前記レーザ光線射出部１からは直交する水平２方向にアーム８，９（アーム９に関しては図示していない）が延出され、該アーム８，９の先端は傾斜機構に係合している。
【０００９】
該傾斜機構は前記アーム８，９それぞれに関して設けられた２組の傾斜駆動部１６，１７（傾斜駆動部１７は図示せず）、及び該傾斜駆動部１６，１７を制御する傾斜制御部（図示せず）を具備し、前記傾斜駆動部１６，１７は前記レーザ光線射出部１の光軸方向に延びるスクリュー１１と、該スクリュー１１に螺合し前記アーム８，９の先端に当接するナット１２、及び前記スクリュー１１をギア１３，１４を介して回転する傾斜調整モータ１５等から成っている。又、図中１８で示されるものは焦点調整装置であり、レーザ光線射出部１の光路中に配設された集光レンズ１９を光軸方向に移動させることでレーザ光線７の焦点合わせを行う。
【００１０】
前記回動部２からレーザ光線が水平方向に照射され、前記走査モータ６により回動部２を回転することで照射面が形成され、又レーザ光線の走査位置を受光装置で所定の位置に設定することで基準面が得られる。
【００１１】
基準面を得ることにより広範囲の作業位置を容易に決定することが可能となる。例えば、建築工事の内装作業に於ける窓位置の設定、或は土木作業の整地等である。
【００１２】
前記傾斜検出装置の前記傾斜センサ３，４，５は発光素子及び光電変換素子と気泡管とを組合わせて構成されており、従来の傾斜センサ３，４，５を図１４〜図１６に、又傾斜検出装置の概略を図１７により説明する。尚、傾斜センサ３と傾斜センサ４，５とは同一構造であるので以下は傾斜センサ３について説明する。
【００１３】
気泡管２１の軸心と直交する方向にＬＥＤ等の発光素子２２を配置し、前記気泡管２１を挾み、前記発光素子２２と対向し、且該発光素子２２光軸に関して対称な位置に１対の受光素子２３，２４を所要距離離して配設し、該受光素子２３，２４からの信号は傾斜検出制御部２５に入力される。
【００１４】
前記発光素子２２から発せられた検出光２６の内、中央部分は前記気泡管２１の気泡２７により発散され、前記検出光２６の内前記中央部分を除く周辺部は気泡管２１により収束して前記受光素子２３，２４に到達し、該受光素子２３，２４が前記検出光２６の受光量から傾斜を検出する。透過光量は気泡２７を有する部分と液体部分２８のみとでは異なる。
【００１５】
図１７に示す様に、前記傾斜検出制御部２５は前記受光素子２３，２４からの受光信号が入力される比較演算部３０、該比較演算部３０からの信号に基づき制御信号を発する制御部３１を有し、前記検出光２６からの制御信号に基づき駆動回路３２が前記傾斜調整モータ１５を駆動する。
【００１６】
先ず、図１４〜図１６、及び図１８を参照して前記検出光２６が気泡管２１を透過する状態を説明する。
【００１７】
図１４は気泡管２１長手方向の検出光２６の透過状態を現している。気泡２６及び液体の部分では略直進透過する為受光素子２３，２４に受光される。気泡と液体の境界部分では検出光が反射され受光素子２３，２４に受光されない。図１８は気泡管２１長手方向に於ける検出光の透過光量を表している。光量の最も少ない部分が気泡と液体の境界部分である。
【００１８】
図１５は気泡管２１の気泡２７部分の断面図である。気泡管２１を直進透過し、受光素子２３，２４に達する。中央部分を除き気泡を透過する検出光は、気泡と気泡管の曲率半径にもよるが、集光せずに発散する。気泡管胴部周辺の液体部分を透過する検出光２６は、光学的作用により受光素子２３，２４に集光する。気泡の境界面を透過する検出光は屈折により多くは反射され、受光素子に受光されない。
【００１９】
図１６は液体部分の断面図である。気泡管２１の中央を透過する検出光２６は直進透過し、受光素子２３，２４に達する。中央部分を除く液体部分では光学的作用により、同様に受光素子２３，２４に集光する。尚、受光素子２３，２４の実質的幅はノイズ光を受光しない様に小幅となっている。小幅の受光とすることで気泡管からの透過光のみを受光し、受光のコントラストを上げている。
【００２０】
前記気泡管２１を透過する検出光２６の軸心に沿った光量変化を表したのが図１８である。気泡２７の境界では前記検出光２６は反射されるので透過光量は著しく小さく、又気泡２７を透過する光は光路変更され、更に反射が多くなる等の理由により液体を透過する検出光２６の光量は少なくなる。従って、前記気泡２７の両端の境界の範囲Ｇが光量が低下する範囲となる。前記気泡２７が移動することで低透過光量の範囲Ｇも移動するので、前記受光素子２３、受光素子２４の受光光量が変化し、受光素子２３、受光素子２４の出力変化を基に傾斜を検出することができる。
【００２１】
図１４で示される様に気泡管２１が水平姿勢の場合は前記気泡２７が気泡管２１の中央にあり、前記受光素子２３、受光素子２４に入光する検出光２６の光量は同一である。従って、前記比較演算部３０での比較演算結果、受光素子２３、受光素子２４からの両信号に偏差はなく、前記駆動回路３２への駆動信号も発せられない。
【００２２】
次に、レーザ測量機が傾き前記気泡管２１の気泡２７が図１４中右方へ移動したとすると、受光素子２４に入光する側の検出光２６が前記気泡２７により蹴られ、又前記受光素子２３に入光する検出光２６が増加する。従って、前記比較演算部３０に入力される受光信号に差が生じ、偏差信号が前記制御部３１に入力され、該制御部３１からは前記駆動回路３２に制御信号が発せられ、該駆動回路３２は該制御信号を基に前記受光素子２３、受光素子２４からの受光信号の差が解消される迄、前記傾斜調整モータ１５を駆動する。
【００２３】
前記受光素子２３，２４としてはフォトセンサ、ＣＣＤ或はリニアセンサ等が挙げられる。
【００２４】
【発明が解決しようとする課題】
上記した様に低透過光量の範囲Ｇについて、気泡２７を透過する検出光２６、或は気泡管２１の胴部周辺で集光された検出光２６が前記受光素子２３、受光素子２４に入光する為、図１８に見られる様に範囲Ｇでもある程度の受光光量がある。前記従来の傾斜検出装置では範囲Ｇと該範囲Ｇの両側の光量差により傾斜を検出している為、範囲Ｇで受光光量があると検出精度が悪くなり、又光量差が少ない場合には検出そのものが困難となる場合もある。又受光素子を狭幅とすると受光量の強度が低下するという問題があった。
【００２５】
本発明は斯かる実情に鑑み、前述した低透過光量の範囲Ｇでの透過光量を著しく小さくし、傾斜検出装置での傾斜検出の精度を向上させようとするものである。
【００２６】
【課題を解決するための手段】
本発明は、光透過型電気気泡管を具備する傾斜検出装置に於いて、気泡管と、該気泡管に対峙して設けられ検出光を発する発光素子と、前記気泡管を挾んで前記発光素子に対峙し前記気泡管の両端部に対向して配置され、前記気泡管を透過した検出光を受光する１対の受光素子と、該受光素子と前記気泡管との間に配設される遮光板とを具備し、前記受光素子は気泡管の液部を透過した前記検出光が集光する位置に配置され、前記遮光板には前記気泡管の軸心と平行なスリット孔が設けられ、該スリット孔は前記気泡管の胴部周辺部分からの検出光を遮光する幅となっている傾斜検出装置に係り、又軸心に平行な２本のスリット孔を設けて、気泡管の胴部周辺部分を透過した検出光を遮光すると共に、軸心を透過する検出光を遮光する傾斜検出装置に係り、更に又気泡管の長手方向に沿って受光範囲の幅を狭くするマスクを受光素子の受光面に設けた傾斜検出装置に係るものであり、受光素子に入光する検出光の一部を遮光することで、検出光が気泡管の気泡を透過した場合と液体のみを透過した場合とで光量差、比が大きくなり、傾斜検出精度を向上させることができる。
【００２７】
【発明の実施の形態】
以下、図面を参照しつつ本発明の実施の形態を説明する。
【００２８】
図１〜図３は第１の実施の形態を示しており、図１４〜図１６中で示したのと同一のものには同符号を付してある。又、傾斜検出装置の基本的構成は図１７で示したものと同様であるので図を省略し、傾斜検出装置に関する説明は図１７を参照する。
【００２９】
気泡管２１の軸心と直交する方向にＬＥＤ等の発光素子２２を配置し、前記気泡管２１を挾み、前記発光素子２２と対向し、且該発光素子２２光軸に関して対称な位置に１対の受光素子２３，２４を所要距離離して配設し、該受光素子２３，２４と前記気泡管２１との間に遮光板３５を前記受光素子２３，２４と平行に配設する。前記遮光板３５には前記気泡管２１の軸心と平行なスリット孔３６が穿設されており、該スリット孔３６は図２に示される様に、気泡管２１の胴部周辺で集光された検出光２６を遮蔽する幅となっている。前記受光素子２３，２４からの信号は傾斜検出制御部２５に入力される。
【００３０】
図２（Ａ）は気泡２７部分の断面図である。前記発光素子２２から発せられた検出光２６は、気泡２１を直進透過し受光素子２３，２４に達する中央部分を除き、気泡を透過する検出光は、気泡と気泡管の曲率半径にもよるが集光せずに発散する。前記気泡２７の胴部周辺に近い液体部分を透過した検出光２６の周辺透過部分３３は光学的作用により集光されるが前記遮光板３５により遮蔽されるので前記受光素子２３，２４には入光しない、従って、周辺部を除いて透過した光のみが前記受光素子２３，２４に到達する。従って、低透過光量の範囲Ｇの光量が低減し、気泡２７のない気泡管２１の液体部分を透過する検出光２６の光量との差が大きくなる。従って、前記気泡２７が気泡管２１内を移動した場合、即ち気泡２７が傾斜した場合に前記受光素子２３、受光素子２４の受光量に大きな差が生じ前記比較演算部３０が演算して得られる偏差も大きくなり、検出精度が向上する。
【００３１】
図４、図５は第２の実施の形態を示すものであり、前記受光素子２３、受光素子２４と前記気泡管２１との間に遮光板３７を配設したものである。該遮光板３７は前記受光素子２３、受光素子２４より幅狭の短冊状の板であり、前記検出光２６の内、前記気泡管２１の軸心、及び軸心近傍を透過する軸心透過部分３４を遮蔽する。
【００３２】
該第２の実施の形態に於いて、前記気泡２７中央を透過する検出光２６の殆どが遮光され、気泡２７の胴部周辺部分を透過した検出光のみが前記受光素子２３、受光素子２４に到達するので、前記受光素子２３、受光素子２４の受光量は大幅に減少し、気泡２７のない気泡管２１の液体部分を透過する検出光２６の光量との差が大きくなる。従って、前記気泡２７が気泡管２１内を移動した場合、即ち気泡２７が傾斜した場合に前記受光素子２３、受光素子２４の受光量に大きな差が生じ前記比較演算部３０が演算して得られる偏差も大きくなり、検出精度が向上する。
【００３３】
図６に示すものは図５に示した第２の実施の形態の応用例であり、遮光板３７′を前記気泡管２１と前記発光素子２２との間に配設し、該発光素子２２からの検出光２６の軸心透過部分３４を前記気泡管２１に入射する前で遮蔽するものである。
【００３４】
図８〜図９は第３の実施の形態を示しており、遮光板３８を第１の実施の形態同様受光素子２３、受光素子２４との間に設けたものであり、前記遮光板３８には前記気泡管２１の軸心と平行に２本のスリット孔３９，４０を穿設する。
【００３５】
前記遮光板３８は気泡管２１を透過した検出光２６の内、前記周辺透過部分３３、前記軸心透過部分３４を遮蔽する。従って、気泡２７のある気泡管２１を透過する検出光２６は前記遮光板３８により殆どが遮蔽され、前記受光素子２３、受光素子２４の受光量は極めて少なくなる。従って、前記気泡２７以外の液体部分２８を透過した検出光２６の光量と前記低透過光量の範囲Ｇの光量比は一層大きくなり、前記比較演算部３０が演算して得られる偏差も著しく大きくなり、検出精度が一層向上する。
【００３６】
実際、受光素子２３，２４は必要な大きさがありノイズ光が入射しやすい。例えば気泡部分２７を透過した検出光２６は直進又は発散等するが、発散光の幾らかは受光面に達しノイズ光となる。ノイズ光に対して、受光面は気泡管の長手方向に細長く幅の狭い方が好ましい。図１０の様に受光素子２３，２４の受光面に密着して、又は近接してマスク２９を設ける。受光素子２３，２４の受光面にマスク２９を設けることにより、ノイズ光の受光を妨げることができる。上述の気泡管２１に設けた遮蔽板と、受光素子に設けたマスクとを組み合わせることにより、更に検出精度を向上することができる。
【００３７】
前記遮光板３５、遮光板３７、遮光板３７′、遮光板３８を設けることで、前記受光素子２３、受光素子２４の総受光量は少なくなるが、前記受光素子２３、受光素子２４自体の感度は高く問題はなく、従って前記気泡２７以外の液体部分を透過した検出光２６の光量と前記低透過光量の範囲Ｇの光量比を大きくすることで検出精度の向上が図れる。
【００３８】
図１１は本発明に於ける受光素子２３，２４の光量分布曲線を示しており、気泡範囲Ｇでの受光量は殆どなく、液体部分との光量比が大きいことを示している。又、図１８に示される従来の光量分布図の範囲Ｇと比較すると遮蔽板３５，３７，３８の遮蔽効果が分かる。
【００３９】
前記受光素子２３，２４としてはフォトセンサ、ＣＣＤ或はリニアセンサ、ラインセンサ等が挙げられる。
【００４０】
前記受光素子２３，２４としてラインセンサを用いた場合の傾斜検出装置の回路について図１２により説明する。
【００４１】
制御器４４は走査駆動回路４５に走査駆動信号を発し、該走査駆動回路４５は前記制御器４４からの走査駆動信号を基にラインセンサ４１を駆動する。ラインセンサ４１から発せられる受光信号は増幅部４２により増幅され、演算部４３に入力される。該演算部４３は受光量の分布を演算し、演算された光量分布と基準光量分布との比較により傾斜量を演算し、演算結果を前記制御器４４に入力する。該制御器４４は前記駆動回路３２を介して前記傾斜調整モータ１５を駆動して傾斜等を補正する。
【００４２】
【発明の効果】
以上述べた如く本発明によれば、光透過型の電気気泡管に於いて気泡部の透過光量と液体部の透過光量との差、比が大きく取れるので傾斜検出精度が向上する。
【図面の簡単な説明】
【図１】本発明の第１の実施の形態の概略を示す正面図である。
【図２】（Ａ）（Ｂ）は、同前第１の実施の形態の概略を示す側面方向から見た図である。
【図３】図１のＡ−Ａ矢視図である。
【図４】本発明の第２の実施の形態の概略を示す正面図である。
【図５】（Ａ）（Ｂ）は、同前第２の実施の形態の概略を示す側面方向から見た図である。
【図６】本発明の第２の実施の形態の変形を示す概略側面図である。
【図７】本発明の第３の実施の形態の概略を示す正面図である。
【図８】（Ａ）（Ｂ）は、同前第３の実施の形態の概略を示す側面方向から見た図である。
【図９】図７のＢ−Ｂ矢視図である。
【図１０】本発明の応用例を示す側面図である。
【図１１】本発明に於ける気泡管透過光量分布を示す線図である。
【図１２】本発明に於いて受光素子としてラインセンサを使用した場合のブロック図である。
【図１３】傾斜検出装置を具備したレーザ測量機を示す断面図である。
【図１４】従来例を示す概略正面図である。
【図１５】図１４のＣ−Ｃ矢視図である。
【図１６】図１４のＤ−Ｄ矢視図である。
【図１７】従来例のブロック図である。
【図１８】従来例に於ける気泡管透過光量分布を示す線図である。
【符号の説明】
３          傾斜センサ
２１        気泡管
２２        発光素子
２３        受光素子
２４        受光素子
２６        検出光
２７        気泡
３３        周辺透過部分
３４        軸心透過部分
３５        遮光板
３６        スリット孔
３７        遮光板
３７′      遮光板
３８        遮光板
３９        スリット孔
４０        スリット孔
【図１】
0003793315.tif 000002
【図２】
0003793315.tif 000003
【図３】
0003793315.tif 000004
【図４】
0003793315.tif 000005
【図５】
0003793315.tif 000006
【図６】
0003793315.tif 000007
【図７】
0003793315.tif 000008
【図８】
0003793315.tif 000009
【図９】
0003793315.tif 000010
【図１０】
0003793315.tif 000011
【図１１】
0003793315.tif 000012
【図１２】
0003793315.tif 000013
【図１３】
0003793315.tif 000014
【図１４】
0003793315.tif 000015
【図１５】
0003793315.tif 000016
【図１６】
0003793315.tif 000017
【図１７】
0003793315.tif 000018
【図１８】
0003793315.tif 000019